(57)【要約】【課題】剛性を高めると共にＸ線吸収の増加を抑制する。【解決手段】クレードル（１０）は、樹脂発泡体製の芯材（１１）に、２層以上のＣＦＲＰ層を含む外装（２０）で覆った構造である。外装（２０）の上面部分は、ＣＦＲＰ層が樹脂フィルムを挟まずに積層されている。外装（２０）の底面部分は、ＣＦＲＰ層の間に樹脂フィルムを挟んで積層されている。【効果】被検体およびクレードル（１０）の荷重を支える底面については、ＣＦＲＰ層に比べて安価な樹脂フィルムをＣＦＲＰ層の間に挟むため、所望の剛性（厚さ）を得るために必要なＣＦＲＰ層の数が少なくて済み、コストを低減できる。さらに、上面はＣＦＲＰ層の間に樹脂フィルムを挟まないため、上面のＣＦＲＰ層の間にも樹脂フィルムを挟む構造に比べてＸ線吸収の増加を抑制することが出来る。【選択図】図３
2008000247.tif 000002
【特許請求の範囲】
【請求項１】
芯材に２層以上のＦＲＰ層を積層してなるＸ線撮影装置用天板であって、上面はＦＲＰ層がシート状樹脂を挟まずに積層されており、底面はＦＲＰ層の間にシート状樹脂を挟んで積層されていることを特徴とするＸ線撮影装置用天板。
【請求項２】
請求項１に記載のＸ線撮影装置用天板において、前記ＦＲＰ層がクロスと樹脂とからなることを特徴とするＸ線撮影装置用天板。
【請求項３】
請求項２に記載のＸ線撮影装置用天板において、前記クロスが炭素線維クロスからなることを特徴とするＸ線撮影装置用天板。
【請求項４】
請求項２または請求項３に記載のＸ線撮影装置用天板において、前記底面の最外側はＦＲＰ層であり、クロス目の凹凸が表面にあることを特徴とするＸ線撮影装置用天板。
【請求項５】
請求項１から請求項４のいずれかに記載のＸ線撮影装置用天板において、前記シート状樹脂が樹脂フィルムであることを特徴とするＸ線撮影装置用天板。
【請求項６】
請求項５に記載のＸ線撮影装置用天板において、前記樹脂フィルムがポリエステルフィルムまたはＰＥＴからなることを特徴とするＸ線撮影装置用天板。
【請求項７】
請求項１から請求項６のいずれかに記載のＸ線撮影装置用天板において、前記芯材が樹脂発泡体であることを特徴とするＸ線撮影装置用天板。
【請求項８】
請求項１から請求項７のいずれかに記載のＸ線撮影装置用天板において、当該Ｘ線撮影装置用天板が、Ｘ線ＣＴ装置のテーブル装置のクレードルであることを特徴とするＸ線撮影装置用天板。
【発明の詳細な説明】
【技術分野】
【０００１】
本発明は、Ｘ線撮影装置用天板に関し、更に詳しくは、剛性を高めると共にＸ線吸収の増加を抑制したＸ線撮影装置用天板に関する。
【背景技術】
【０００２】
従来、芯材に複数層のＦＲＰ（Fiber Reinforced Plastic）層を積層した構造の医療機器用天板が知られている（例えば、特許文献１参照。以下、従来技術１と呼ぶ。）。
また、熱可塑性樹脂発泡体層にＦＲＰ層を積層し、そのＦＲＰ層にシート状樹脂層を積層したＦＲＰ構造体が知られている（例えば、特許文献２参照。以下、従来技術２と呼ぶ。）。
【特許文献１】特開２００４−２１６０２１号公報
【特許文献２】特開２００６−３５６７１号公報
【発明の開示】
【発明が解決しようとする課題】
【０００３】
ところで、医療機器用天板においては、昨今のスキャン範囲の拡大や、体重の重い患者への対応の必要性により、高い強度が求められるようになってきた。
上記従来技術１の医療機器用天板のような芯材にＦＲＰ層だけを積層しているものの場合は、所望の強度を得るためにＦＲＰ層の積層数を増やすことにより厚さを増やすことが考えられるが、高コストとなる問題点がある。
また、上記従来技術２のＦＲＰ層とシート状樹脂の積層体で芯材を覆った天板の構造については、前記積層体の厚さが厚くなり、強度を高めることが可能であると考えられ、また、所望の強度を得るために必要なＦＲＰ層の数が少なくて済み、高コストになることを抑えることができると考えられる。ところが、Ｘ線吸収が増加してしまう問題点がある。
そこで、本発明の目的は、強度を高めると共にＸ線吸収の増加を抑制したＸ線撮影装置用天板を提供することにある。
【課題を解決するための手段】
【０００４】
第１の観点では、本発明は、芯材に２層以上のＦＲＰ層を積層してなるＸ線撮影装置用天板であって、上面はＦＲＰ層がシート状樹脂を挟まずに積層されており、底面はＦＲＰ層の間にシート状樹脂を挟んで積層されていることを特徴とするＸ線撮影装置用天板を提供する。
上記第１の観点によるＸ線撮影装置用天板では、被検体および天板自身の荷重を支える底面については、ＦＲＰ層に比べて安価なシート状樹脂層をＦＲＰ層の間に挟むため、所望の剛性（厚さ）を得るために必要なＦＲＰ層の数が少なくて済み、コストを低減できる。さらに、上面はＦＲＰ層の間にシート状樹脂を挟まないため、上面のＦＲＰ層の間にもシート状樹脂を挟む構造に比べてＸ線吸収の増加を抑制することが出来る。
【０００５】
第２の観点では、本発明は、前記第１の観点によるＸ線撮影装置用天板において、前記ＦＲＰ層がクロスと樹脂とからなることを特徴とするＸ線撮影装置用天板を提供する。
上記第２の観点によるＸ線撮影装置用天板では、クロスを用いるため、平行な複数の炭素線維からなる層を直交させて重ねる構造よりも、剛性をコントロールし易くなる。
【０００６】
第３の観点では、本発明は、前記第２の観点によるＸ線撮影装置用天板において、前記クロスが炭素線維クロスからなることを特徴とするＸ線撮影装置用天板を提供する。
上記第３の観点によるＸ線撮影装置用天板では、炭素線維クロスを用いるため、軽くて十分な強度が得られる。
【０００７】
第４の観点では、本発明は、前記第２または前記第３の観点によるＸ線撮影装置用天板において、前記底面の最外側はＦＲＰ層であり、クロス目の凹凸が表面にあることを特徴とするＸ線撮影装置用天板を提供する。
上記第４の観点によるＸ線撮影装置用天板では、底面を支えるローラーとの間に適正な滑りと摩擦とを得ることが出来る。
【０００８】
第５の観点では、本発明は、前記第１から前記第４のいずれかの観点によるＸ線撮影装置用天板において、前記シート状樹脂が樹脂フィルムであることを特徴とするＸ線撮影装置用天板を提供する。
上記第５の観点によるＸ線撮影装置用天板では、ＦＲＰ層中の線維の外径から見て空隙がない樹脂フィルムを用いるため、ＦＲＰ層中の線維の重なり具合の凹凸により厚さにばらつきを生じることを抑制できる。
【０００９】
第６の観点では、本発明は、前記第５の観点によるＸ線撮影装置用天板において、前記樹脂フィルムがポリエステルフィルムまたはＰＥＴからなることを特徴とするＸ線撮影装置用天板を提供する。
上記第６の観点によるＸ線撮影装置用天板では、ポリエステルフィルムまたはＰＥＴを用いるため、軽量で効果的に補強できる。
【００１０】
第７の観点では、本発明は、前記第１から前記第６のいずれかの観点によるＸ線撮影装置用天板において、前記芯材が樹脂発泡体であることを特徴とするＸ線撮影装置用天板を提供する。
上記第７の観点によるＸ線撮影装置用天板では、芯材に樹脂発泡体を用いるため、軽量化できる。
【００１１】
第８の観点では、本発明は、前記第１から前記第７のいずれかの観点によるＸ線撮影装置用天板において、当該Ｘ線撮影装置用天板が、Ｘ線ＣＴ装置のテーブル装置のクレードルであることを特徴とするＸ線撮影装置用天板を提供する。
【発明の効果】
【００１２】
本発明のＸ線撮影装置用天板によれば、被検体および天板自身の荷重を支える底面については、ＦＲＰ層に比べて安価なシート状樹脂層をＦＲＰ層の間に挟むため、所望の剛性（厚さ）を得るために必要なＦＲＰ層の数が少なくて済み、高コストとなることを抑えながら、強度の高い天板を得ることができる。さらに、上面はＦＲＰ層の間にシート状樹脂を挟まないため、上面のＦＲＰ層の間にもシート状樹脂を挟む構造に比べてＸ線吸収の増加を抑制することが出来る。
【発明を実施するための最良の形態】
【００１３】
以下、図に示す実施の形態により本発明をさらに詳細に説明する。なお、これにより本発明が限定されるものではない。
【実施例１】
【００１４】
図１は、実施例１に係るＸ線ＣＴ装置１００を示す構成図である。
このＸ線ＣＴ装置１００は、操作コンソール１と、テーブル装置８と、走査ガントリ９とを具備している。
【００１５】
操作コンソール１は、操作者の入力を受け付ける入力装置２と、画像再構成処理などを実行する中央処理装置３と、走査ガントリ９で取得した投影データを収集するデータ収集バッファ５と、投影データから再構成したＸ線ＣＴ画像を表示するＣＲＴ６と、プログラムやデータやＸ線ＣＴ画像を記憶する記憶装置７とを具備している。
【００１６】
テーブル装置８は、被検体を乗せて走査ガントリ９のボア（空洞部）に入れ出しするクレードル１０を具備している。クレードル１０は、テーブル装置８に内蔵するモータで昇降および直線移動される。
【００１７】
走査ガントリ９は、図示しないが、Ｘ線管と、Ｘ線コントローラと、コリメータと、Ｘ線検出器と、ＤＡＳ（Data Acquisition System）と、Ｘ線コントローラ，コリメータ，ＤＡＳの制御を行う回転側コントローラと、制御信号などを操作コンソール１や撮影テーブル１０とやり取りする制御コントローラと、スリップリングとを具備している。
【００１８】
図２に示すように、クレードル１０の底面は、テーブル装置８のローラー８ｒで支持されている。従って、クレードル１０の底面のローラー８ｒに当たっている小面積の部分に、被検体Ｋの体重とクレードル１０の重量が集中してかかる。
【００１９】
図３に示すように、クレードル１０は、樹脂発泡体製の芯材１１に、２層以上のＣＦＲＰ層を含む外装２０で覆った構造である。
【００２０】
図４に示すように、クレードル１０の底面の外装２０は、芯材１１に、炭素線維クロスと樹脂とからなるＣＦＲＰ層１２ａを積層し、そのＣＦＲＰ層１２ａに樹脂フィルム１３ａを積層し、その樹脂フィルム１３ａにＣＦＲＰ層１２ｂを積層し、そのＣＦＲＰ層１２ｂに樹脂フィルム１３ｂを積層し、その樹脂フィルム１３ｂにＣＦＲＰ層１２ｃを積層し、そのＣＦＲＰ層１２ｃに樹脂フィルム１３ｃを積層し、その樹脂フィルム１３ｃにＣＦＲＰ層１２ｄを積層したものである。
【００２１】
ＣＦＲＰ層１２ａ，１２ｂ，…は、炭素線維クロスとエポキシ樹脂とからなる。
樹脂フィルム１３ａ，１３ｂ，…は、炭素線維クロスの糸が入り込むような空隙がない、例えばポリエステルやＰＥＴ製フィルムである。
【００２２】
ＣＦＲＰ層の間に樹脂フィルムを挟むＦＲＰ構造では、図５に示すように各ＣＦＲＰ層の炭素線維クロスの縦糸と横糸の交点の位置が重なっている場合でも、図６に示すように各ＣＦＲＰ層の炭素線維クロスの縦糸と横糸の交点の位置がずれている場合でも、厚さはほぼ均一になる。これにより、期待した厚さつまり剛性が常に得られる。よって、クレードル１０の底面のローラー８ｒに当たっている小面積の部分に被検体Ｋの体重とクレードル１０の重量が集中してかかっても、これに耐えられるようになる。即ち、クレードル１０の底面の剛性が低いと、クレードル１０の底面の小面積部分にローラー８ｒが押し込まれ、クレードル１０の座屈によりクレードル１０が破損する危険性があったが、本実施例では、その危険性を低減することができる。
【００２３】
クレードル１０の底面の最外側のＣＦＲＰ層１２ｄには、クロス目の凹凸が表面にある。これは、ローラー８ｒとの間に適正な滑りと摩擦とを得るためである。
【００２４】
図７に示すように、クレードル１０の上面の外装２０は、芯材１１に、炭素線維クロスと樹脂とからなるＣＦＲＰ層１２ａを積層し、そのＣＦＲＰ層１２ａにＣＦＲＰ層１２ｂを積層し、そのＣＦＲＰ層１２ｂにＣＦＲＰ層１２ｃを積層し、そのＣＦＲＰ層１２ｃにＣＦＲＰ層１２ｄを積層したものである。
【００２５】
樹脂フィルムを挟まずにＣＦＲＰ層だけ重ねるＦＲＰ構造では、図８に示すように各ＣＦＲＰ層の炭素線維クロスの縦糸と横糸の交点の位置が重なっている場合と、図９に示すように各ＣＦＲＰ層の炭素線維クロスの縦糸と横糸の交点の位置がずれている場合とでは、後者が前者より薄くなる。後者の場合には、炭素線維クロスの縦糸と横糸の交点が、縦糸も横糸もない隙間位置に入り込むからである。そして、後者のように薄くなると、前者のような剛性が得られなくなる。しかし、クレードル１０の上面では、被検体Ｋの体重が小面積の部分に集中してかかることはないので、支障を生じない。
【００２６】
実施例１に係るクレードル１０によれば、被検体Ｋおよびクレードル１０の荷重を支える底面については、ＣＦＲＰ層１２に比べて安価な樹脂フィルム１３をＣＦＲＰ層１２の間に挟むため、所望の剛性（厚さ）を得るために必要なＣＦＲＰ層１２の数が少なくて済み、高コストとなることを抑えながら、強度の高い天板を得ることができる。さらに、上面はＣＦＲＰ層１２の間に樹脂フィルム１３を挟まないため、上面のＣＦＲＰ層１２の間にも樹脂フィルム１３を挟む構造に比べてＸ線吸収の増加を抑制することが出来る。
【産業上の利用可能性】
【００２７】
本発明のＸ線撮影装置用天板は、例えばＸ線ＣＴ装置に利用できる。
【図面の簡単な説明】
【００２８】
【図１】実施例１にかかるＸ線ＣＴ装置を示す構成図である。
【図２】実施例１にかかるクレードルの支持機構を示す模式図である。
【図３】実施例１にかかるクレードルを示す断面図である。
【図４】実施例１にかかるクレードルの底面のＦＲＰ構造を示す分解斜視図である。
【図５】各ＣＦＲＰ層の炭素線維クロスの交点位置が重なった場合における、クレードルの底面のＦＲＰ構造の厚さを示す説明図である。
【図６】各ＣＦＲＰ層の炭素線維クロスの交点位置がずれた場合における、クレードルの底面のＦＲＰ構造の厚さを示す説明図である。
【図７】実施例１にかかるクレードルの上面のＦＲＰ構造を示す分解斜視図である。
【図８】各ＣＦＲＰ層の炭素線維クロスの交点位置が重なった場合における、クレードルの上面のＦＲＰ構造の厚さを示す説明図である。
【図９】各ＣＦＲＰ層の炭素線維クロスの交点位置がずれた場合における、クレードルの上面のＦＲＰ構造の厚さを示す説明図である。
【符号の説明】
【００２９】
１                          操作コンソール
８                          テーブル装置
９                          走査ガントリ
１０                        クレードル
１１                        芯材
１２ａ，１２ｂ，…          ＣＦＲＰ層
１３ａ，１３ｂ，…          樹脂フィルム
２０                        外装
１００                      Ｘ線ＣＴ装置
【図１】
2008000247.tif 000003
【図２】
2008000247.tif 000004
【図３】
2008000247.tif 000005
【図４】
2008000247.tif 000006
【図５】
2008000247.tif 000007
【図６】
2008000247.tif 000008
【図７】
2008000247.tif 000009
【図８】
2008000247.tif 000010
【図９】
2008000247.tif 000011